(57)【要約】【課題】ラック内でのレイアウト変更を容易とするラック、およびスイッチングハブを提供する。【解決手段】スイッチングハブ３０は、ラックマウント型に構成された装置を積み重ねて収納可能なラックにおいて用いられる。スイッチングハブ３０は、一方向に伸びた柱形状を有する筐体３５と、に対応し、筐体３５の側面上でラックの装置収納間隔に応じて配置されたＲＪ４５コネクタ仕様のＲＪポート３１、）を有する。ラックに収納された装置は、接続ケーブルを介して最近傍のＲＪポートに接続される。スイッチングハブ３０は、１つのＲＪポートに接続された装置と他の装置のＲＪポートとの間で当該データを転送する。【選択図】      図３
2011048676.tif 000002
【特許請求の範囲】
【請求項１】
ラックマウント型に構成された装置を積み重ねて収納可能なラックにおいて用いられるスイッチングハブ装置であって、
柱形状を有する筐体と、
前記ラックに収納された装置が接続ケーブルを介して接続される複数のポートであって、前記筐体の側面上の長手方向に前記ラックにおける装置収納間隔に応じて配置された複数のポートと、
前記複数のポートに接続された装置の間でイーサネット（登録商標）仕様に対応してスイッチングハブ動作を行いデータ転送を制御する制御手段と
を具備することを特徴とするスイッチングハブ装置。
【請求項２】
前記本体は、前記ラックの支柱と一体に構成される請求項１に記載のスイッチングハブ装置。
【請求項３】
前記ラックは側壁を備え、
前記筐体は、前記ラックの側壁と一体に構成されることを特徴とする請求項１に記載のスイッチングハブ装置。
【請求項４】
前記筐体は、前記ラックの支柱にそって取り付けられる請求項１に記載のスイッチングハブ装置。
【請求項５】
前記筐体は、前記ラックの側壁に取り付けられる請求項１に記載のスイッチングハブ装置。
【請求項６】
前記複数のポートは、前記筐体の前記側面に所定間隔で固定されている請求項１乃至５のいずれかに記載のスイッチングハブ装置。
【請求項７】
前記本体の前記少なくとも１つの側面上には、長手方向に溝が形成され、
前記複数のポートは、前記溝内に配置された状態で前記側面に所定の取付間隔でねじ止めされる請求項１乃至５のいずれかに記載のスイッチングハブ装置。
【請求項８】
前記本体の前記少なくとも１つの側面上には、長手方向に溝が形成され、
前記複数のポートのそれぞれは、所定の取付間隔で前記溝に圧入されて装着される請求項１乃至５のいずれかに記載のスイッチングハブ装置。
【請求項９】
ラックマウント型に構成された装置を長手方向に所定の収容間隔で積み重ねて収納するラックであって、
前記ラックは、
前記長手方向に平行に構成された中空の支柱と、
前記ラックの支柱を筐体とするスイッチングハブ装置とを具備し、
前記スイッチングハブ装置は、
前記ラックに収納された装置が接続ケーブルを介して接続される複数のポートであって、前記筐体の側面上の長手方向に、前記ラックにおける装置収納間隔に応じて配置された複数のポートと、
前記複数のポートに接続された装置の間でイーサネット（登録商標）仕様に対応してスイッチングハブ動作を行いデータ転送を制御する制御手段と、
を具備することを特徴とするラック。
【請求項１０】
前記複数のポートは、前記支柱に前記所定の収納間隔に応じてねじ止めされることを特徴とする請求項に９記載のラック。
【請求項１１】
前記複数のポートは、コネクタのジャックを含み、
前記支柱には、前記ジャックが取付け可能な溝が設けられ、
前記ジャックは、前記支柱の前記溝に前記所定収納間隔に応じて圧入して固定されることを特徴とする請求項９記載のラック。
【請求項１２】
ラックマウント型に構成された装置を長手方向に所定の収納間隔で積み重ねて収納するラックであって、
前記ラックは、
側板と、
前記側板を筐体とするスイッチングハブ装置とを具備し、
前記スイッチングハブ装置は、
前記ラックに収納された装置が接続ケーブルを介して接続される複数のポートであって、前記側板上で前記ラックにおける装置収納間隔に応じて配置された複数のポートと、
前記複数のポートに接続された装置の間でイーサネット（登録商標）仕様に対応してスイッチングハブ動作を行いデータ転送を制御する制御手段と、
を具備することを特徴とするラック。
【発明の詳細な説明】
【技術分野】
【０００１】
本発明は、ハードウェア収納用のラックおよびそれに収容される装置に対応して用いられるスイッチングハブ装置に関する。
【背景技術】
【０００２】
放送システムや通信システム等において用いられるサーバシステムを構成する装置、機器等（以下、ハードウェアと総称する）の多くは、イーサネット（(登録商標)；Ethernet（登録商標））を用いるＩＰ（Internet  Protocol）手順に対応している。例えば放送システムでは、番組素材データをファイル化して処理するトレンドがあり、放送システム内で伝送される殆ど全ての信号がＩＰパケット化されることが予想されている。通常のサーバシステムでは、これらＩＰ対応のハードウェアはイーサネット仕様のスイッチングハブに接続され、スイッチングハブを介して上位の集約装置に接続されて、ＩＰネットワークが構成される。
【０００３】
これらのハードウェアは、平積みが可能なラックマウント型に構成され、サーバラック等のラック（棚）に収納されることが多い。ラックには、ラックマウント型のハードウェアを積み重ねて設置することができ、サーバシステムを構築する。
【０００４】
ＩＰ対応のハードウェアをラックに収納する際には、各ハードウェアは、ラック内又はラック外に設けられたスイッチングハブに１０ＢＡＳＥ―Ｔ、１００ＢＡＳＥ―Ｔ等のイーサネット仕様の一般にＬＡＮケーブルと呼ばれるＵＴＰ（UnShielded Twist Pair）ケーブルで接続される。この際、ＬＡＮケーブルはできるだけコンパクトに収納されることが望ましい。例えば特許文献１には、ハードウェアの間を接続する各種のケーブルを、ケーブルガイド溝部によってケース本体内に収納し、蓋部によってケース本体の開口端を施蓋することで、ケーブルが垂れ下がることなく接続するように構成した情報配線ラックが開示されている。
【先行技術文献】
【特許文献】
【０００５】
【特許文献１】特開２００２−１２４７９０号公報（段落００２３、図４）
【発明の概要】
【発明が解決しようとする課題】
【０００６】
しかしながら、各ハードウェアとスイッチングハブを接続する場合、各ハードウェアからスイッチングハブへは、スイッチングハブとの間の距離に応じた長さのＬＡＮケーブルで接続する必要がある。このため、ラックに収納されるハードウェアのレイアウトを変更しようとすると、ＬＡＮケーブルの長さを変更することになり、煩雑な作業が必要となる。
【０００７】
本発明は、前記のような問題に鑑みなされたもので、ラック内でのレイアウト設定、および変更が容易となるラックおよびスイッチングハブ装置を提供することを目的とする。
【課題を解決するための手段】
【０００８】
本発明の一実施形態に係るスイッチングハブ装置は、ラックマウント型に構成された装置を積み重ねて収納可能なラックにおいて用いられるスイッチングハブ装置であって、柱形状を有する筐体と、前記ラックに収納された装置が接続ケーブルを介して接続される複数のポートであって、前記筐体の側面上の長手方向に前記ラックにおける装置収納間隔に応じて配置された複数のポートと、前記複数のポートに接続された装置の間でイーサネット（登録商標）仕様に対応してスイッチングハブ動作を行いデータ転送を制御する制御手段とを具備する。
【０００９】
また、本発明の一実施形態に係るラックは、ラックマウント型に構成された装置を長手方向に所定の収容間隔で積み重ねて収納するラックであって、前記ラックは、前記長手方向に平行に構成された中空の支柱と、前記ラックの支柱を筐体とするスイッチングハブ装置とを具備し、前記スイッチングハブ装置は、前記ラックに収納された装置が接続ケーブルを介して接続される複数のポートであって、前記筐体の側面上の長手方向に、前記ラックにおける装置収納間隔に応じて配置された複数のポートと、前記複数のポートに接続された装置の間でイーサネット（登録商標）仕様に対応してスイッチングハブ動作を行いデータ転送を制御する制御手段とを具備する。
【００１０】
また、本発明の一実施形態に係るラックは、ラックマウント型に構成された装置を長手方向に所定の収納間隔で積み重ねて収納するラックであって、前記ラックは、側板と、前記側板を筐体とするスイッチングハブ装置とを具備し、前記スイッチングハブ装置は、前記ラックに収納された装置が接続ケーブルを介して接続される複数のポートであって、前記側板上で前記ラックにおける装置収納間隔に応じて配置された複数のポートと、前記複数のポートに接続された装置の間でイーサネット（登録商標）仕様に対応してスイッチングハブ動作を行いデータ転送を制御する制御手段とを具備する。
【発明の効果】
【００１１】
本発明の一実施形態に係るラックおよびスイッチングハブ装置によれば、複数のポートの配置間隔がラックに収納されるハードウェア（装置）の間隔に対応しているので、ラック内でのレイアウト設定、および変更が容易となる。
【図面の簡単な説明】
【００１２】
【図１】本発明の一実施形態に係り、放送システムにおいて用いられるラックの外観の一例を示す正面図。
【図２】ハードウェアを収納していない状態でのラックの外観の一例を示す図。
【図３】第１の実施形態に係るスイッチングハブの一例を示す正面図。
【図４】第１の実施形態に係るスイッチングハブの一例を示す側断面図。
【図５】図１に示すハードウェアがラックに収納された場合の、スイッチングハブよるイーサネット接続状態を模式的に表す図。
【図６】ラックの柱と一体に設けられたスイッチングハブの一例を示す斜視図。
【図７】第２の実施形態に係るスイッチングハブの一例を示す正面図。
【図８】第３の実施形態に係るＲＪポートを上方から見た断面を示す図。
【図９】第４の実施形態に係り、ラックの柱と別体に設けられ、柱に沿って取り付けられたスイッチングハブの一例を示す斜視図。
【図１０】第５の実施形態に係り、ハードウェアを収納していない状態でのラックの外観の一例を示す図。
【発明を実施するための形態】
【００１３】
以下、図面を参照して本発明によるスイッチングハブ装置の実施形態を説明する。
【００１４】
第１の実施形態
図１は、本発明の一実施形態に係り、放送システムにおいて用いられるラックの外観の一例を示す正面図である。ラック１０は、例えば米国電子工業会（ＥＩＡ:Electronic Industries Alliance）によって規格化された１９インチラックである。ＥＩＡでは、１段の幅が１９インチ（約４８２．６ｍｍ）、高さが１．７５インチ（約４４．５ｍｍ）と規定されている。
【００１５】
図１に示すラック１０には、エンコーダ／デコーダ１１、多重化装置（ＭＵＸ）１２、波形モニタ１３、制御装置１４、及びブランクパネル１５が収納されている。波形モニタ１３と制御装置１４の間にも、種々のラックマウント型装置が収納可能である。
【００１６】
エンコーダ／デコーダ１１は、映像信号及び音声信号をＭＰＥＧ規格で圧縮し、ＴＳ（トランスポートストリーム）を生成するするエンコーダ部と、ＴＳを伸張して映像信号や音声信号に復元するデコーダ部とを有する装置である。
【００１７】
多重化装置１２は、エンコーダ／デコーダ１１から出力されるＴＳや、データサービスを送出するサーバから送出するサーバから出力されるＴＳ等、複数のＴＳを多重化して一つの放送用ＴＳとして出力する。
【００１８】
波形モニタ１３は、ディスプレイ等を備え、放送信号の波形を監視するための装置である。
【００１９】
制御装置１４は、ラック１０に収納された各種のハードウェアを制御する。制御装置１４は、例えばエンコーダ／デコーダ１１によるＴＳ配信や、多重化装置１２による多重化、波形モニタ１３による放送信号の監視等を制御する。
【００２０】
なお、図１においてラック１０に収納されているハードウェアは、一例として図示されているものであり、上記以外のハードウェアが、ラック１０に収納されて良いことは勿論である。
【００２１】
図２は、ハードウェアを収納していない状態でのラック１０の外観の一例を示す図である。
【００２２】
図２に示すように、ラック１０は、４本の柱１０ａ（＃１〜＃４）を支柱とし、その上部には枠状のフレーム１０ｂと、下部には同じくフレーム１０ｃとが取り付けられ、ラック１０の骨組みを構成している。柱１０ａは、中空の角柱形状である。パネル１０ｐはラック１０の上蓋である。
【００２３】
ラック１０の右側面を構成する２本の柱１０ａ（＃２）と１０ａ（＃３）の間、及び左側面を構成する２本の柱１０ａ（＃１）と１０ａ（＃４）との間にはそれぞれ、中間補強部材１０ｄが設けられていてもよい。これら骨組みの各部材はスチールやアルミ等の金属である。
【００２４】
ラック１０の収納領域は、１．７５インチ単位の間隔（又は１．７５インチの整数倍数間隔）で長手方向（垂直方向）に分割することができ、柱１０ａに取り付けられる図示されないパーティションパネルやサブフレーム等の装置保持手段によって図１に示すような種々のハードウェアが垂直方向に積み重なって収納される。
【００２５】
あるいは、ラック１０の柱１０ａに、１．７５インチ間隔（又は１．７５インチの整数倍数間隔）で図示されないフック等の取り付け具が設けられ、この取り付け具により各ハードウェアが保持されるか、または、柱１０ａに１．７５インチ間隔（又は１．７５インチの整数倍数間隔）でねじ穴が設けられ、ハードウェアの取り付け部がねじ留めされてもよい。
【００２６】
ラック１０に収納されるハードウェアの多くは、ＬＡＮの伝送に関する規格であるＩＥＥＥ８０２規格で、一般にはイーサネット(Ethernet：登録商標)とよばれる仕様に対応している。これらＩＰ対応のハードウェアはイーサネット(登録商標)仕様のスイッチングハブに接続され、そのスイッチングハブを介して上位の集約装置に接続されることによりＩＰネットワークの構成機器の一部になっている。
【００２７】
図３は、本実施形態に係るスイッチングハブの一例を示す正面図であり、図４は、本実施形態に係るスイッチングハブの一例を示す側断面図である。
【００２８】
図３及び図４に示すスイッチングハブ３０は、一方向に伸びた柱状の筐体３５を有する。スイッチングハブ３０の筐体３５は、角柱形状を有し、例えば図６に示すように、ラック１０の背面部に使用される柱１０ａ（＃１）を兼ねて一体化されている。
【００２９】
スイッチングハブ３０の１つ以上の側面には、長手方向（垂直方向）に１．７５インチ間隔（又は１．７５インチの整数倍数間隔）で複数の一般にＲＪ４５と呼ばれるコネクタのジャックであるＲＪポート３１が配置されている。ＲＪ−４５コネクタは、１００ＢＡＳＥ−Ｔ（Ｘ）や１０００ＢＡＳＥ−Ｔ等のイーサネット（登録商標）の仕様に対応し、ＬＡＮケーブルの端に取り付けられるプラグと、筐体３５に取り付けられＲＪポート３１となるジャックからなるコネクタである。
【００３０】
図３に示されるポート間の間隔Ｌは、Ｌ＝ｎ×１．７５（ｎは任意の整数）で表される。スイッチングハブ３０に設けられたＲＪポート３１のうち１つのＲＪポート３１（図６では最下端のポート（＃ｎ））は、上位の集線装置へ接続され、残りの各ポートはラック内の各ハードウェアへ接続出来るように準備される。
【００３１】
ＲＪポート３１（＃１）〜（＃ｎ）は、スイッチングハブ３０内に設けられたＣＰＵ３３に接続されている。ＣＰＵ３３は、電源ユニット（Ｐ／Ｓ）３４を有する。電源ユニット３４は、図示しない電源装置に接続され、ＣＰＵ３３を駆動する電力を供給する。
【００３２】
スイッチングハブ３０は、ポート間の転送をリピータではなく、ブリッジ機能を含めて実行するハブの一種である。ＣＰＵ３３は、図示しないメモリに記憶されたプログラムに従って、スイッチングハブの種々の機能を実現する制御部として動作する。
【００３３】
ＣＰＵ３３は、ＲＪポート３１（例えば、＃ｎ）から送られてきたデータの宛先ＭＡＣアドレスを解析し、相当する機器が接続されているＲＪポート３１（例えば、＃２）にデータを転送する。ＣＰＵ３３は、必要で有れば接続相手の伝送速度を自動判別し、適切な速度を選んで接続するオートネゴシエーション機能を実現してもよい。
【００３４】
図５は、図１に示すハードウェアがラック１０に収納された場合の、スイッチングハブ３０によるＩＰ接続状態を模式的に表す図である。
【００３５】
ラック１０に収容される各ハードウェアとスイッチングハブ３０とは、ケーブル長ＬｃのＬＡＮケーブル５０によって接続される。ＬＡＮケーブル５０の両端には、例えば８本の導線を収容できる８ピンのモジュラー式コネクタであるＲＪ−４５プラグ（図８におけるＲＪプラグ４０）が備えられる。
【００３６】
なお、ＬＡＮケーブルは、ＵＴＰ（UnShielded Twist Pair）ケーブルとして仕様化されているが、ここでは、一般的呼称に従ってＬＡＮケーブルと称する。
【００３７】
ＬＡＮケーブル５０の一端のＲＪ−４５プラグは、スイッチングハブ３０のＲＪポート３１（例えば、＃１）（ＲＪ−４５ジャック）に挿入され、ＬＡＮケーブル５０の他端のＲＪ−４５プラグは、スイッチングハブ３０に対応して接続されるハードウェア、例えばエンコーダ／デコーダ１１のＲＪポートに挿入される。
【００３８】
エンコーダ／デコーダ１１又は多重化装置１２から送られるＴＳ、波形モニタ１３から送られるモニタ信号、あるいは制御装置１４から送られる制御信号といったラック１０に収納された各種のハードウェアが送受信する信号やデータは、それぞれのハードウェアとスイッチングハブ３０を接続するＬＡＮケーブル５０を介して、スイッチングハブ３０との間で伝送される。
【００３９】
スイッチングハブ３０に伝送されるデータは、必要に応じてＲＪポート３１（ここでは＃ｎ）を介して上位集約装置１８との間で入出力される。この上位集約装置１８は、例えばレイヤー３スイッチ等のネットワーク機器であって、ここでは図３の最下部のＲＪポート３１（＃ｎ）に接続された外部ケーブルによってデータが入出力される。レイヤー３スイッチは、スイッチングハブとルーターの機能を併せ持ち、複数のスイッチングハブを束ねて、他のＬＡＮスイッチとＩＰ接続する。
【００４０】
またスイッチングハブ３０からは、ＬＡＮケーブル５０及びＲＪポート３１を介して、エンコーダ／デコーダ１１、多重化装置１２、波形モニタ１３及び制御装置１４といったラック１０に収納された各種のハードウェアの間で、各種の信号やデータが入出力（伝送）される。
【００４１】
図６は、ラックの柱１０ａ（＃１）と一体に設けられたスイッチングハブ３０の一例を示す斜視図である。図６では、図２におけるラック１０の一本の柱１０ａ（＃１）と、スイッチングハブ３０とが一体に構成されており、柱１０ａ（＃１）（スイッチングハブ３０）の１つの側面上に、垂直方向にここでは１．７５インチ間隔で各ＲＪポート３１が配置されている。
【００４２】
ラック１０の収納領域には、垂直方向に１．７５インチの整数倍の間隔で種々のハードウェアが積み重なって収納される。また、スイッチングハブ３０と一体化した柱１０ａ（＃１）の１側面には、垂直方向に１．７５インチ間隔でＲＪポート３１が配置されている。
【００４３】
このラック１０では、ハードウェアの収納間隔に対応するようＲＪポート３１の配置間隔が１．７５インチになっているため、ハードウェアと直近のＲＪポート３１を接続するのには、当該ハードウェアの真横のＲＪポート３１を選べばよい。従って、ハードウェアでのＲＪプラグの取り付け位置の差異を考慮した上で、必要となるケーブル長Ｌｃを例えば５０ｃｍ等に統一してどのハードウェアに対しても等しくすることが出来る。
【００４４】
ケーブル長Ｌｃは、ハードウェアとスイッチングハブ３０との水平方向の距離に基づいて予め決定でき、垂直方向の距離を考慮する必要がなくなる。各ハードウェアは、予め設計条件として準備した所定の長さＬｃのＬＡＮケーブル５０によってスイッチングハブ３０に接続することができるようになるので設計が簡緑化される。
【００４５】
従って、例えば収納領域下方に収納されているハードウェアを上方に収納し直す、あるいは逆に収納領域上方に収納されているハードウェアを下方に収納し直す等、ラック１０においてハードウェアの収納レイアウトを変更する場合でも、同じ５０ｃｍ長のＬＡＮケーブル５０を用いて当該ハードウェアをスイッチングハブ３０に接続することができる。このため、レイアウトの変更の都度、ケーブルの長さを変更するといった煩雑な作業が不要となる。
【００４６】
次に、本発明の他の実施形態を説明する。以下の実施形態で第１の実施形態と重複する部分は対応する参照数字を付して詳細な説明は省略する。
【００４７】
第２の実施形態
図７は、第２の実施形態に係るスイッチングハブの一例を示す正面図である。
【００４８】
図７に示すスイッチングハブ３０は、柱形状を有し、柱１０ａと一体化して構成される。
【００４９】
第２の実施形態に係るスイッチングハブ３０の１つ（又は複数）の側面３０ａには、長手方向（垂直方向）に沿って溝４１が設けられている。スイッチングハブ３０の当該側面３０ａには、溝４１に沿って、溝４１の両側に、長手方向に１．７５インチ間隔でねじ穴が設けられている。溝４１内には、ＲＪポート３１（＃１〜＃ｎ）が、上述のねじ穴に２個の止めねじ４２によってねじ付けされて配置されている。第１の実施形態と同様に、配置されたＲＪポート３１のうち１つのポート（図７では最下端のポート（＃ｎ））は、上位の集線装置へ接続される。
【００５０】
第１の実施形態と同様に、ＲＪポート３１は、スイッチングハブ３０内に設けられたＣＰＵ３３に接続されている。ＣＰＵ３３は、電源ユニット（Ｐ／Ｓ）３４を有するなど、筐体３５の内部接続は同様である。
【００５１】
スイッチングハブ３０と一体化した柱１０ａの１側面には、垂直方向に１．７５インチ間隔で設置されたねじ穴にねじ付けされたＲＪポート３１が配置されている。このため、第２の実施形態に係るスイッチングハブ３０では、必要なＲＪポート３１を２つの止めねじ４２によってスイッチングハブ３０に取り付けることができ、また、不要になったＲＪポート３１は、止めねじ４２を外すことでスイッチングハブ３０から取り外すことができる。すなわち、溝４１に設けられるＲＪポート３１の数を、必要に応じて変更することができる。また、ＲＪポート３１を取り付ける位置も必要に応じて変更することができる。
【００５２】
第２の実施形態に係るスイッチングハブ３０では、適切な数のＲＪポート３１を適切な位置に取り付けることができる。
【００５３】
第１の実施形態では、予め準備するＲＪポートが多数必要になる。例えば、取り付け間隔を１．７５Ｘ２＝３．５インチ＝８．９ｃｍとした場合、ハードウェア取り付け範囲（高さ）が１６０ｃｍであれば、ｎ＝１８個程度のＲＪポート３１を柱１０ａ（＃１）に取り付けなければならない。その結果、ＣＰＵ３３も１８ポート振り分け対応が可能な高機能なものが必要となる。しかし、その場合でも、全ポートが使用される確率は低いので、無駄が生じる。
【００５４】
これに対し第２の実施形態では、収容ハードウェア数に近い数（８個程度）だけＲＪポート３１を設ければ良く、ＣＰＵ３３のコストが低くて済む効果を併せ持つ事になる。
【００５５】
第３の実施形態
図８は、第３の実施形態に係るＲＪポート３１を上方から見た断面を示す断面図である。
【００５６】
図８に示すＲＪポート３１は、図７に示すような側面３０ａに溝４１が設けられたスイッチングハブ３０に取り付けられる。このＲＪポート３１は、挿入口３１ａを有し、挿入口３１ａにはＲＪ−４５仕様のＲＪプラグ４０が挿入される。
【００５７】
ＲＪポート３１となるジャックは、挿入口３１ａの両側に、例えばプラスチック等の合成樹脂からなり、弾性を有する２つのつめ３１ｂを備えている。このつめ３１ｂは印加される圧力に応じてたわみ、スイッチングハブ３０の側面３０ａに設けられた溝４１に差し込まれる。つめ３１ｂには、側面３０ａから受ける圧力に対する応力（効力）が生じ、この応力によって溝４１に保持される。すなわち、ＲＪプラグ４０は、ＲＪポート３１に圧入されて固定される。
【００５８】
ＲＪポート３１は、つめ３１ｂの先端にストッパー３１ｃを備えていてもよい。ストッパー３１ｃによって、ＲＪポート３１が溝４１に必要以上に押し込まれることが防止される。
【００５９】
第１の実施形態と同様に、ＲＪポート３１は、スイッチングハブ３０内に設けられたＣＰＵ３３に接続されている。ＣＰＵ３３は、電源ユニット（Ｐ／Ｓ）３４を有する。ＲＪポートとＣＰＵ３３を接続するバスの長さには、ある程度の余裕をもたせておくとよい。
【００６０】
第３の実施形態に係るＲＪポート３１は、圧力によってたわめられたツメ３１ｂが、スイッチングハブ３０の側面３０ａに設けられた溝に押し込まれることで、スイッチングハブ３０に圧入されて取り付けられる。このため、必要なＲＪポート３１をスイッチングハブ３０に容易に取り付け、不要なＲＪポート３１を容易に取り外すことができる。
【００６１】
溝４１に設けられるＲＪポート３１の数は、必要に応じて変更することができる。また、ＲＪポート３１を取り付ける位置（ジャック間の間隔）も必要に応じて変更することができる。
【００６２】
第３の実施形態に係るスイッチングハブ３０では、適切な数のＲＪポート３１を適切な位置に取り付けることができる。また、ＲＪポート３１の取り付け位置が１．７５インチ間隔に限られないため、ハードウェアのレイアウトの自由度をより高めることができる。ＣＰＵ３３とＲＪポート３１を接続するバス長にはある程度余裕があるので、ハードウェアの収納間隔が一定でなくとも、ＬＡＮケーブル５０のケーブル長Ｌｃを変更することなく、任意の位置に配置されたＲＪポート３１にハードウェアを接続することができるようになる。このため、レイアウトの変更の都度、ケーブルの長さを変更するといった煩雑な作業が不要となる。
【００６３】
第４の実施形態
図９は、第４の実施形態に係り、ラック１０の柱１０ａとは別体にスイッチングハブ３０の筐体３５が設けられ、当該柱１０ａに沿って取り付けられたスイッチングハブ３０の一例を示す斜視図である。スイッチングハブ３０（即ち筐体３５）は、柱１０ａ（＃１）に沿って取り付けられる。
【００６４】
図９では、ラック１０の一本の柱１０ａと、スイッチングハブ３０とが別体に構成されており、柱１０ａの１つの側面上に、スイッチングハブ３０の筐体３５が取り付けられている。スイッチングハブ３０は、第１、第２及び第３の実施形態において説明されたスイッチングハブのうちのいずれであってもよい。
【００６５】
スイッチングハブ３０は、柱１０ａの１つの側面に、例えば接着剤で取り付けられたり、磁石によって取り付けられたり、あるいはねじや取り付け具等によって機械的に取り付けられる。取り付けに際して、スイッチングハブ３０が取り付けられる位置を微調整して、ハードウェアの収納に最適な位置に取り付けることができる。
【００６６】
また、磁石や取り付け具等で取り外し可能に取り付けられる場合、必要に応じて、スイッチングハブ３０が取り付けられる柱１０ａを変更することができるようになる。このため、ハードウェア収納の自由度が更に高まる。また、複数のスイッチングハブ３０を複数の柱１０ａそれぞれに取り付けることも可能となる。
【００６７】
更に、１本の柱１０ａに取り付けられたスイッチングハブ３０に不具合が生じても、柱１０ａとは別体のスイッチングハブ３０であれば、後からスイッチングハブ３０を交換したり、あるいはスイッチングハブ３０を追加して取り付けることもできる。
【００６８】
第５の実施形態
図１０は、第５の実施形態に係り、ハードウェアを収納していない状態でのラック１０の外観の一例を示す図である。
【００６９】
本実施形態に係るラック１０は、図２に示すラックと同様に、４本の柱１０ａを４隅に有し、上部にはパネル１０ｐが、下部にはフレーム１０ｃが取り付けられている。このラック１０は、左右の側面に板状の側板（サイドパネル）２０を有する。第４の実施形態において説明されたスイッチングハブ３０は、この側板２０に取り付けられる。なお、スイッチングハブ３０の筐体は、この側板２０の一部で構成されても良い。
【００７０】
スイッチングハブ３０は、この側板２０が中間補強部材１０ｄで区切られた上部と、下部とに分けて２つの筐体３５ａ、３５ｂを設置する構造でも良い。この場合、それぞれが電源３４を備えるか、いずれか一方は、ＲＪポート部分を取り付けただけのエクステンション部となっても良い。また１枚の側板２０にスイッチングハブ３０が２列以上に並べて設置されてもよい。
【００７１】
更に、第１の実施形態では、柱１０ａ（＃１）１本がスイッチングハブになる例を説明したが、柱１０ａ（＃１）（＃２）の様に２本の柱それぞれにスイッチングハブ機能を有するものであっても良いことは言うまでも無く、実施例１〜５に関わるものの何れかを組み合わせたもので良いことももちろんである。
【００７２】
なお、上述の各実施形態では、角柱形状を有するスイッチングハブ３０について説明したが、スイッチングハブ３０の形状はこれに限定されない。スイッチングハブ３０は、ラック１０の構造に合わせて三角柱や多角柱形状をとってもよい。また、第５の実施形態に示したように、側板２０と一体に設けられてもよい。
【００７３】
上述の各実施形態では、ラック１０はＥＩＡ規格に適合するとしたが、ラック１０のサイズはこれに限定されない。収納されるハードウェアにあわせて、種々のサイズのラックが用いられてもよい。
【００７４】
上述の各実施形態では、ＬＡＮケーブル５０とＲＪポート３１を接続するコネクタとして、１００ＢＡＳＥ−ＴＸや１０００ＢＡＳＥ−Ｔ等のＬＡＮ規格に対応するＲＪ−４５仕様が用いられた。しかしながら、他の収納されるハードウェアで共通に用いられる標準仕様のプラグがコネクタとして用いられてもよい。また、採用されるＬＡＮ規格は、コネクタ形状と同様に共通な標準仕様であれば１０ＢＡＳＥ−Ｔ、１００ＢＡＳＥ−ＴＸや１０００ＢＡＳＥ−Ｔ等のイーサネット仕様に限定されない。
【００７５】
また、上述の各実施形態では、本発明に係るスイッチングハブが、放送システムにおいて用いられるラックに設置される例について説明したが、スイッチングハブの設置例は、放送システムに限定されるわけではない。通信システムや情報処理システム等においてサーバを構成するのに用いられるサーバラックに、本発明に係るスイッチングハブが用いられてもよい。あるいは、事業場内に留まることなく企業内ＬＡＮシステムや広域ＩＰネットワークシステム等、様々なＩＰネットワークシステムにおいて、本発明に係るスイッチングハブが適用可能である。
【００７６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７７】
１０…ラック、１１…エンコーダ／デコーダ、１２…多重化装置、１３…波形モニタ、１４…制御装置、１５…ブランクパネル、２０側板、３１…ＲＪポート、３５…筐体。
【図１】
2011048676.tif 000003
【図２】
2011048676.tif 000004
【図３】
2011048676.tif 000005
【図４】
2011048676.tif 000006
【図５】
2011048676.tif 000007
【図６】
2011048676.tif 000008
【図７】
2011048676.tif 000009
【図８】
2011048676.tif 000010
【図９】
2011048676.tif 000011
【図１０】
2011048676.tif 000012